(57)【要約】【課題】店舗対応アプリケーションを備えた携帯端末の利便性をより高めることが可能な「車載機器」を提供することである。【解決手段】店舗固有のサービスを受けるために利用可能な店舗対応アプリケーションを備えた携帯端末が接続される車載機器であって、車両の現在位置を含む所定範囲内に前記店舗対応アプリケーションの利用可能な店舗を検索するアプリ利用可能店舗検索手段と、駐車のために前記車両が停止したか否かを判定する駐車判定手段と、前記駐車判定手段にて前記車両が駐車のために停止したと判定されたときに、前記アプリ利用可能店舗検索手段にて得られた店舗にて利用可能な店舗対応アプリケーションを前記携帯端末に起動させるアプリ起動制御手段とを有する構成となる。【選択図】図３
2013257200.tif 000002
【特許請求の範囲】
【請求項１】
店舗固有のサービスを受けるために利用可能な店舗対応アプリケーションを備えた携帯端末が接続される車載機器であって、
車両の現在位置を含む所定範囲内に前記店舗対応アプリケーションの利用可能な店舗を検索するアプリ利用可能店舗検索手段と、
駐車のために前記車両が停止したか否かを判定する駐車判定手段と、
前記駐車判定手段にて前記車両が駐車のために停止したと判定されたときに、前記アプリ利用可能店舗検索手段にて得られた店舗にて利用可能な店舗対応アプリケーションを前記携帯端末に起動させるアプリ起動制御手段とを有する車載機器。
【請求項２】
表示部を有し、
前記アプリ起動制御手段は、前記店舗対応アプリケーションを特定するためのアプリ特定情報を前記表示部に表示させる表示制御手段を有し、前記表示部に表示されたアプリ特定情報を指定する操作がなされたときに、指定されたアプリ特定情報にて特定される店舗対応アプリケーションを起動させる請求項１に記載の車載機器。
【請求項３】
前記表示制御手段は、前記表示部に表示される地図上における前記店舗対応アプリケーションの利用可能な前記店舗の位置に対応する位置に、当該店舗対応アプリケーションを特定するアプリ特定情報を表示させる請求項２に記載の車載機器。
【請求項４】
前記アプリ利用可能店舗検索手段にて、前記店舗対応アプリケーションの利用が可能な店舗が得られないときに、所定の情報を報知する報知手段を有する請求項１乃至３のいずれかに記載の車載機器。
【請求項５】
前記携帯端末は、複数の異なる店舗のそれぞれで固有のサービスを受けるために利用可能な複数の異なる店舗対応アプリケーションを備えており、
前記アプリ利用可能店舗検索手段にて前記車両の現在位置を含む所定範囲内に店舗対応アプリケーションの利用可能な異なる複数の店舗が得られたときに、前記車両の現在位置に最も近い店舗で利用可能な店舗対応アプリケーションを選択するアプリ選択手段を有し、
前記アプリ起動制御手段は、前記アプリ選択手段にて選択された店舗対応アプリケーションを前記携帯端末に起動させる請求項１に記載の車載機器。
【請求項６】
前記携帯端末は、複数の異なる店舗のそれぞれで固有のサービスを受けるために利用可能な複数の異なる店舗対応アプリケーションを備えており、
前記表示制御手段は、前記アプリ利用可能店舗検索手段にて前記車両の現在位置を含む所定範囲内に店舗対応アプリケーションの利用可能な異なる複数の店舗が得られたときに、前記車両の現在位置に近い店舗の順番に、各店舗で利用可能な店舗対応アプリケーションを特定するアプリ特定情報を一覧表示させる請求項２に記載の車載機器。
【発明の詳細な説明】
【技術分野】
【０００１】
本発明は、店舗固有のサービスを受けるために利用可能な店舗対応アプリケーションを備えた携帯端末が接続される車載機器に関する。
【背景技術】
【０００２】
従来、車両から容易に取り外せ、携行時に容易に案内情報が得られ、結合状態及び分離状態のいずれの状態においても目的地周辺情報を自動的に取得することが可能なカーナビゲーション装置が提案されている（特許文献１参照）。このカーナビゲーション装置は、目的地に到達した際に当該目的地の位置を携帯型電話機を介して情報センターに送信し、情報センターから受信した目的地の周辺情報を取得することができるようになっている。これにより、目的地に到着した際に目的地周辺情報として、店舗情報、映画館情報などを取得し、これを利用することが可能となっている。
【先行技術文献】
【特許文献】
【０００３】
【特許文献１】特開２００２−３０３５２８号公報
【発明の概要】
【発明が解決しようとする課題】
【０００４】
特許文献１記載のカーナビゲーション装置は、目的地に車両が到達した際に携帯型電話機（携帯端末）を通じて情報センターと通信することで目的地の周辺情報を取得し、当該取得した目的地の周辺情報をナビゲーション装置の一部を分離させた装置の表示部に表示させることによって、車外においても目的地の周辺情報を利用することができる。
【０００５】
ところで、近年、携帯端末に店舗固有のサービスを受けるために必要な店舗対応アプリケーションが備えられている。このような店舗対応アプリケーションを搭載した携帯端末を所持したユーザが対応する店舗に入場すると、ユーザ自らその店舗に対応するアプリケーションを立ち上げ、所定の操作をすることにより、店舗特有のサービス（例えば、全品１０％割引等）を受けることが可能となっている。
【０００６】
しかしながら、前述したような店舗対応アプリケーションを備えた携帯端末が特許文献１に記載された目的地の周辺情報を取得する機能を備えていたとしても、例えば、携帯端末に複数の店舗対応アプリケーションが備えられていた場合、どのアプリケーションを起動させるべきか等、アプリケーションの検索行為をユーザ自ら行う必要がある。また、このような店舗対応アプリケーションの中から必要なアプリケーションを検索する行為は大変煩雑である。
【０００７】
本発明は、このような事情に鑑みてなされたもので、店舗対応アプリケーションを備えた携帯端末の利便性をより高めることが可能な車載機器を提供するものである。
【課題を解決するための手段】
【０００８】
本発明に係る車載機器は、店舗固有のサービスを受けるために利用可能な店舗対応アプリケーションを備えた携帯端末が接続される車載機器であって、車両の現在位置を含む所定範囲内に前記店舗対応アプリケーションの利用可能な店舗を検索するアプリ利用可能店舗検索手段と、駐車のために前記車両が停止したか否かを判定する駐車判定手段と、前記駐車判定手段にて前記車両が駐車のために停止したと判定されたときに、前記アプリ利用可能店舗検索手段にて得られた店舗にて利用可能な店舗対応アプリケーションを前記携帯端末に起動させるアプリ起動制御手段とを有する構成となる。
【０００９】
このような構成によれば、車載機器のアプリ利用可能店舗検索手段が車両の現在位置を含む所定範囲内に店舗固有のサービスを受けるために利用可能な店舗対応アプリケーションの利用可能な店舗を検索し、駐車判定手段により駐車のために車両が停止したと駐車判定手段に判定されたときに、アプリ起動制御手段が検索された店舗にて利用可能な店舗対応アプリケーションを車載機器に接続された携帯端末に起動させるので、車両が駐車されると自動的に車両の現在位置（到着地）を含む所定範囲内にある店舗で利用可能なアプリケーションが自動的に起動され、店舗固有のサービスをより容易に受けることが可能となる。
【００１０】
本発明に係る車載機器は、表示部を有し、前記アプリ起動制御手段は、前記店舗対応アプリケーションを特定するためのアプリ特定情報を前記表示部に表示させる表示制御手段を有し、前記表示部に表示されたアプリ特定情報を指定する操作がなされたときに、指定されたアプリ特定情報にて特定される店舗対応アプリケーションを起動させる構成とすることができる。
【００１１】
このような構成によれば、アプリ起動制御手段が店舗対応アプリケーションを特定するためのアプリ特定情報を表示部に表示させ、表示部に表示されたアプリ特定情報を指定する操作がなされたときに、指定されたアプリ特定情報にて特定される店舗対応アプリケーションを起動させるので、表示部を視認することにより起動すべき店舗対応アプリケーションをユーザが自由に選択することが可能となる。
【００１２】
本発明に係る車載機器において、前記表示制御手段は、前記表示部に表示される地図上における前記店舗対応アプリケーションの利用可能な前記店舗の位置に対応する位置に、当該店舗対応アプリケーションを特定するアプリ特定情報を表示させる構成とすることができる。
【００１３】
このような構成によれば、表示制御手段が表示部に表示される地図上における店舗対応アプリケーションの利用可能な店舗の位置に対応する位置に当該店舗対応アプリケーションを特定するアプリ特定情報を表示させるので、表示部に表示された地図及び地図上に表示されたアプリ特定情報を視認することで、より的確に起動すべき店舗対応アプリケーションを選択することが可能となる。
【００１４】
本発明に係る車載機器は、前記アプリ利用可能店舗検索手段にて、前記店舗対応アプリケーションの利用が可能な店舗が得られないときに、所定の情報を報知する報知手段を有する構成とすることができる。
【００１５】
このような構成によれば、報知手段がアプリ利用可能店舗検索手段にて前記店舗対応アプリケーションの利用が可能な店舗が得られないときに、所定の情報を報知するので、その情報を報知されたユーザは、店舗対応アプリケーションを利用すべき店舗がないことを認識することが可能となる。
【００１６】
本発明に係る車載機器において、前記携帯端末は、複数の異なる店舗のそれぞれで固有のサービスを受けるために利用可能な複数の異なる店舗対応アプリケーションを備えており、前記アプリ利用可能店舗検索手段にて前記車両の現在位置を含む所定範囲内に店舗対応アプリケーションの利用可能な異なる複数の店舗が得られたときに、前記車両の現在位置に最も近い店舗で利用可能な店舗対応アプリケーションを選択するアプリ選択手段を有し、前記アプリ起動制御手段は、前記アプリ選択手段にて選択された店舗対応アプリケーションを前記携帯端末に起動させる構成とすることができる。
【００１７】
このような構成によれば、携帯端末が複数の異なる店舗のそれぞれで固有のサービスを受けるために利用可能な複数の異なる店舗対応アプリケーションを備えており、アプリ利用可能店舗検索手段にて車両の現在位置を含む所定範囲内に店舗対応アプリケーションの利用可能な異なる複数の店舗が得られたときに、アプリ選択手段が車両の現在位置に最も近い店舗で利用可能な店舗対応アプリケーションを選択し、アプリ起動制御手段が、アプリ選択手段にて選択された店舗対応アプリケーションを携帯端末に起動させるので、車両の現在位置に最も近い店舗のサービスをより容易に受けることが可能となる。
【００１８】
本発明に係る車載機器において、前記携帯端末は、複数の異なる店舗のそれぞれで固有のサービスを受けるために利用可能な複数の異なる店舗対応アプリケーションを備えており、前記表示制御手段は、前記アプリ利用可能店舗検索手段にて前記車両の現在位置を含む所定範囲内に店舗対応アプリケーションの利用可能な異なる複数の店舗が得られたときに、前記車両の現在位置に近い店舗の順番に、各店舗で利用可能な店舗対応アプリケーションを特定するアプリ特定情報を一覧表示させる構成とすることができる。
【００１９】
このような構成によれば、携帯端末が複数の異なる店舗のそれぞれで固有のサービスを受けるために利用可能な複数の異なる店舗対応アプリケーションを備えており、表示制御手段がアプリ利用可能店舗検索手段にて車両の現在位置を含む所定範囲内に店舗対応アプリケーションの利用可能な異なる複数の店舗が得られたときに、車両の現在位置に近い店舗の順番に、各店舗で利用可能な店舗対応アプリケーションを特定するアプリ特定情報を一覧表示させるので、より的確に起動すべき店舗対応アプリケーションを選択することが可能となる。
【発明の効果】
【００２０】
本発明に係る車載機器によれば、車両の現在位置を含む所定範囲内に店舗固有のサービスを受けるために利用可能な店舗対応アプリケーションの利用可能な店舗を検索し、駐車のために車両が停止したと駐車判定手段に判定されると、検索された店舗にて利用可能な店舗対応アプリケーションを車載機器に接続された携帯端末に起動させることから、車両が駐車されると自動的に車両の現在位置（到着地）を含む所定範囲内にある店舗で利用可能なアプリケーションが自動的に起動され、店舗固有のサービスをより容易に受けることができるので、店舗対応アプリケーションを備えた携帯端末の利便性をより高めることが可能となる。
【図面の簡単な説明】
【００２１】
【図１】本発明の実施の形態に係る車載機器及び当該車載機器に接続される携帯端末（スマートフォン）を示すブロック図である。
【図２】図１に示す携帯端末（スマートフォン）のホーム画面の一例を示す図である。
【図３】図１に示す車載機器における処理ユニットが実行する処理の手順を示すフローチャート（その１）である。
【図４】図１に示す車載機器の表示部での表示例（その１）を示す図である。
【図５】図１に示す車載機器における処理ユニットが実行する処理の手順を示すフローチャート（その２）である。
【図６】図１に示す車載機器の表示部での表示例（その２）を示す図である。
【図７】図１に示す車載機器の表示部での表示例（その３）を示す図である。
【発明を実施するための形態】
【００２２】
以下、本発明の実施の形態について図面を用いて説明する。
【００２３】
本発明の実施の形態に係る車載機器及び当該車載機器に接続される携帯端末（スマートフォン）は、図１に示すように構成される。
【００２４】
図１において、車両に搭載された車載機器１００と携帯端末としてのスマートフォン２０とによって車載機器システムが構成される。スマートフォン２０は、車載機器１００に設けられた外部機器接続用のコネクタ１９にケーブルにより接続され、車載機器１００とスマートフォン２０との相互の通信が可能となっている。車載機器１００は、コンピュータユニット（例えば、ＣＰＵ）によって構成される処理ユニット１１を有している。処理ユニット１１には、各種音源及び映像源（例えば、ＣＤ、ＤＶＤ等）の再生処理が可能なＡＶユニット１７、及び自車両のルート案内等のナビゲーション処理を行うナビゲーションユニット１８が接続されている。また、処理ユニット１１には、スピーカ１６と接続される出力回路１５が接続されており、処理ユニット１１の制御のもと、ＡＶユニット１７及びナビゲーションユニット１８の処理に基づいた音声信号が出力回路１５を介してスピーカ１６から出力される。加えて、処理ユニット１１には、ＡＶユニット１７及びナビゲーションユニット１８にて利用される楽曲情報や地図情報等の各情報が記憶される記憶部１４（例えば、ハードディスク）と、ＬＣＤ等によって構成され、映像等の各種情報を表示する表示部１３と、表示部１３上のタッチパネルや操作ボタン等にて構成され、処理に対する指示や各種情報を入力するために用いられる操作部１２とが接続されている。
【００２５】
スマートフォン２０（携帯端末）が接続されるコネクタ１９は、車載機器１００の処理ユニット１１に接続されており、コネクタ１９を介して処理ユニット１１とスマートフォン２０とが通信によって相互に情報交換することが可能である。
【００２６】
なお、スマートフォン２０は、車載機器１００に設けられた外部機器接続用のコネクタ１９にケーブルにより接続されることとしたが、車載機器１００に対して無線接続し、近距離無線通信（例えば、Ｂｌｕｅｔｏｏｔｈ（登録商標））によって車載機器１００との間で情報の送受を行うようにしてもよい。
【００２７】
スマートフォン２０には、検索アプリケーション（検索Ｅｎ  Ａ）の他、各店舗固有のサービスを提供するためのアプリケーションであるレンタル店Ｂアプリケーション、カラオケ店Ｃアプリケーション、電話会社Ｄアプリケーション、電機店Ｅアプリケーション、ハンバーガー店Ｆアプリケーションが備えられている。また、これらの店舗固有のサービスを提供するためのアプリケーションを特定するためのアイコンがスマートフォン２０のホーム画面２０１に表示されている。このような店舗固有のサービスを提供するアプリケーションは、各店舗固有のサービスを受けるための１つのツールであって、例えば、ポイントカードとして利用されたり、当該アプリケーションを起動させたユーザにのみ割引を行ったりすることが可能となっている。スマートフォン２０は、これらの店舗固有のサービスを提供するアプリケーション（以下、店舗対応アプリケーションという。）の動作により、所定の移動体通信ネットワークを介してインターネット上から各種サービスに関する情報を取得することができる。
【００２８】
車載機器１００の処理ユニット１１は、図３に示す手順に従って、スマートフォン２０に備えられた店舗対応アプリケーションを起動させるための処理を実行する。
【００２９】
例えば、車両の起動操作がなされると、処理ユニット１１は、図３に示す手順に従って、その処理を実行する。図３において、処理ユニット１１は、スマートフォン２０がコネクタ１９を介して車載機器１００に接続されていることを確認すると（Ｓ１１）、周辺施設検索を開始する（Ｓ１２）。具体的には、処理ユニット１１がナビゲーションユニット１８に車両の現在位置を含む所定範囲内（例えば、半径３ｋｍ内）に存在する周辺施設（例えば、市役所、カラオケ店、電機店等の施設）を検索する。そして、処理ユニット１１は、コネクタ１９を介して接続されたスマートフォン２０に、ステップＳ１２で検索した周辺施設の名称を含むアプリケーション（店舗対応アプリケーション）が備えられているか否かを判定する（Ｓ１３：アプリ利用可能店舗検索手段）。これによって、スマートフォン２０に店舗対応アプリケーションがあると判定されたときに（Ｓ１３でＹＥＳ）、処理ユニット１１は駐車のために車両が停止したか否かを判定する（Ｓ１４：駐車判定手段）。例えば、駐車のために車両が停止したか否かの判定には、アクセサリーポジション（ＡＣＣ）がＯＦＦ状態になったことをもってその判定を行う。これによって、駐車のために車両が停止していないと判定されたときに（Ｓ１４でＮＯ）、処理ユニット１１は、ステップＳ１１の処理に戻り前述した処理（ステップＳ１１〜Ｓ１４）を実行する。また、ステップＳ１３において、スマートフォン２０に店舗対応アプリケーションが備えられていない（Ｓ１３でＮＯ）と判定されたときにも、処理ユニット１１は、ステップＳ１１の処理に戻り、前述した処理（ステップＳ１１〜Ｓ１４）を繰り返し実行する。
【００３０】
一方、処理ユニット１１によって駐車のために車両が停止したと判定されたときに（Ｓ１４でＹＥＳ）、処理ユニット１１は、車両の現在位置を含む所定範囲内（例えば、半径１００ｍ以内）にある店舗対応アプリケーションの利用可能な店舗を検索する（Ｓ１５：アプリ利用可能店舗検索手段）。具体的には、処理ユニット１１は、車両の現在地である到着地を中心に前述したステップＳ１２にて検索した範囲よりも狭い範囲（半径１００ｍ以内）にある店舗対応アプリケーションを検索する。これによって、車両の現在位置を含む所定範囲内に店舗対応アプリケーションの利用可能な店舗があるときに（Ｓ１５でＹＥＳ）、処理ユニット１１は、当該ステップＳ１５にて検索された店舗対応アプリケーションの利用可能な店舗が複数あるか否かを判定する（Ｓ１６）。
【００３１】
これによって、ステップＳ１５にて検索された店舗対応アプリケーションが複数あると判定されたときに（Ｓ１６でＹＥＳ）、処理ユニット１１は、車両の現在位置に最も近い店舗で利用可能な店舗対応アプリケーションを選択する（Ｓ１７：アプリ選択手段）。より具体的には、図４に示すように車両の現在位置Ｐから所定の範囲内に店舗対応アプリケーションが利用可能な施設は、カラオケ店Ｃ、電話会社Ｄ、電機店Ｅ、ハンバーガー店Ｆが存在しており、これらの中で最も車両位置Ｐに近くに存在するカラオケ店Ｃにて利用可能な店舗対応アプリケーションを選択する。そして、処理ユニット１１は、ステップＳ１６にて選択された店舗対応アプリケーション（カラオケ店Ｃにて利用可能なアプリケーション）をスマートフォン２０に起動させるために起動要求をおこなう（Ｓ１８）。一方、ステップＳ１５にて検索された店舗対応アプリケーションの利用可能な店舗が複数ない、すなわち、１つであると判定されたときに（Ｓ１７でＮＯ）、処理ユニット１１はステップＳ１５にて検索された店舗にて使用可能な店舗対応アプリケーションをスマートフォン２０に起動させるために起動要求を行い（Ｓ１８：アプリ起動制御手段）、店舗対応アプリケーションを起動させるための処理を終了する。また、ステップＳ１５にて車両の現在位置を含む所定範囲内に店舗対応アプリケーションの利用可能な店舗が検索されなかったときにも（Ｓ１５でＮＯ）、店舗対応アプリケーションを起動させるための処理を終了する。
【００３２】
前述したように、車載機器１００は、処理ユニット１１により、車両の現在位置を含む所定範囲内に店舗固有のサービスを受けるために利用可能な店舗対応アプリケーションの利用可能な店舗を検索し、車両が駐車されたときに検索した店舗にて利用可能な店舗対応アプリケーションを車載機器１００に接続されたスマートフォン２０に起動させることができる。これによって、車両が駐車されると自動的に車両の現在位置（到着地）を含む所定範囲内にある店舗で利用可能なアプリケーションが自動的に起動されるようになり、店舗固有のサービスを容易に受けることが可能となる。
【００３３】
なお、前述したステップＳ１４において、駐車のために車両が停止したか否かの判定に際し、アクセサリーポジション（ＡＣＣ）がＯＦＦ状態になったことをもってその判定を行うこととしたが、例えば、ナビゲーションユニット１８において目的地が設定されており、当該目的地に車両が到着したことをもって、駐車のために車両が停止したと判定するようにしてもよい。
【００３４】
また、本発明の第２の実施の形態に係る車載機器１００の処理ユニット１１は、図５に示す手順に従って、スマートフォン２０に備えられた店舗対応アプリケーションを起動させるための処理を実行する。なお、図３に示す処理と同一の処理を行うステップについては同番号を付した。図３に示す処理と異なる部分について、以下に詳しく説明する。
【００３５】
車両の起動操作がなされると、処理ユニット１１は、図５に示す手順に従って、その処理を実行する。図５において、図３に示す処理と同様に、処理ユニット１１は、ステップＳ１１〜Ｓ１４までの処理を繰り返し実行する（Ｓ１１〜Ｓ１４）。
【００３６】
そして、処理ユニット１１が駐車のために車両が停止したと判定すると（Ｓ１４でＹＥＳ）、処理ユニット１１は、車両の現在位置を含む所定範囲内（例えば、半径１００ｍ以内）にある店舗対応アプリケーションの利用可能な店舗を検索する（Ｓ１５：アプリ利用可能店舗検索手段）。これによって、車両の現在位置を含む所定範囲内に店舗対応アプリケーションの利用可能な店舗があるときに（Ｓ１５でＹＥＳ）、処理ユニット１１は、店舗対応アプリケーションを特定するためのアプリ特定情報を表示部１３に表示させる（Ｓ２１：表示制御手段）。具体的には、処理ユニット１１は、車両の現在位置を含む所定範囲内に店舗対応アプリケーションの利用可能な店舗がある場合に、図６に示すように表示部１３に店舗対応アプリケーションを特定するためのアイコン（アプリ特定情報）を表示させる。図６において、表示部１３に表示された各種店舗対応アプリケーションのアイコンは、車両の現在位置から近い店舗の順番に一覧表示される。また、この店舗対応アプリケーションを表示するアイコンが一覧表示された表示部１３を視認したユーザは、自ら所望の店舗対応アプリケーションを選択することが可能となっている。このユーザによる選択は、表示部１３に表示された画面（操作部１２）をタッチ（操作）することにより行われる。処理ユニット１１は、起動すべき店舗対応アプリケーションがユーザに選択されることを監視する（Ｓ２２）。そして、ユーザが所望の店舗対応アプリケーションを選択すると（Ｓ２２でＹＥＳ）、処理ユニット１１はステップＳ２２にてユーザによって選択された店舗対応アプリケーションをスマートフォン２０に起動させるための起動要求を行い（Ｓ２３：アプリ起動制御手段）、店舗対応アプリケーションを起動させるための処理を終了する。
【００３７】
一方、ステップＳ１５において、車両の現在位置を含む所定範囲内に店舗対応アプリケーションの利用可能な店舗がないときに（Ｓ１５でＮＯ）、処理ユニット１１は、店舗対応アプリケーションがないことを報知するための所定の情報を表示部１３に表示させ（Ｓ２４：報知手段）、店舗対応アプリケーションを起動させるための処理を終了する。具体的には、処理ユニット１１は、車両の現在位置を含む所定範囲内に店舗対応アプリケーションの利用可能がない旨を、図７に示すように表示部１３に表示した後、店舗対応アプリケーションを起動させるための処理を終了する。
【００３８】
前述したように、本発明の第２の実施の形態に係る車載機器１００は、車両が駐車されると、処理ユニット１１により、車両の現在位置を含む所定範囲内に店舗固有のサービスを受けるために利用可能な店舗対応アプリケーションの利用可能な店舗を検索し、検索された店舗対応アプリケーションを特定するためのアイコン（アプリ特定情報）を表示部１３に表示させる。このようにして、表示部１３に表示された画面（操作部１２）を操作することにより起動すべき店舗対応アプリケーションが選択されると、ユーザによって選択された店舗対応アプリケーションをスマートフォン２０に起動させることができる。これによって、車両が駐車されると自動的に車両の現在位置（到着地）を含む所定範囲内にある店舗で利用可能なアプリケーションが自動的に表示部１３に表示されるようになり、この表示部１３を視認したユーザが所望の店舗で利用可能なアプリケーションを容易に選択し、選択した店舗固有のサービスを受けることが可能となる。また、車両が駐車された際に、車両の現在位置を含む所定範囲内に店舗対応アプリケーションが検索されない場合には、所定のメッセージが表示部１３に表示されるようになるため、ユーザは店舗対応アプリケーションがないことを予め認識することが可能となる。
【００３９】
なお、処理ユニット１１は、バッテリーが上がることを防ぐため、ステップＳ１５〜Ｓ２５までの処理を行うに当たり、タイマー処理を行い所定時間経過後に車載機器１００の電源をＯＦＦ状態にするようにしてもよい。
【００４０】
また、ステップＳ２１において、処理ユニット１１は、車両の現在位置を含む所定範囲内に店舗対応アプリケーションの利用可能な店舗がある場合に表示部１３に店舗対応アプリケーションを特定するためのアイコンを当該車両の現在位置から近い順に表示させるようにしたが、例えば、図４に示すように、表示部１３に表示される地図上における店舗対応アプリケーションの利用可能な店舗の位置に対応する位置に、当該店舗対応アプリケーションを特定するアイコン（アプリ特定情報）を表示するようにしてもよい。このようにすることで、表示部１３を視認したユーザが地図上に表示される位置関係を把握したうえでより的確に起動すべき店舗対応アプリケーションを選択することが可能となる。
【産業上の利用可能性】
【００４１】
以上、説明したように、本発明に係る車載機器は、店舗対応アプリケーションを備えた携帯端末の利便性をより高めることができるという効果を有し、車載機器として有用である。
【符号の説明】
【００４２】
１１  処理ユニット
１２  操作部
１３  表示部
１４  記憶部
１５  出力回路
１６  スピーカ
１７  ＡＶユニット
１８  ナビゲーションユニット
１９  コネクタ
２０  スマートフォン（携帯端末）
１００  車載機器
【図１】
2013257200.tif 000003
【図２】
2013257200.tif 000004
【図３】
2013257200.tif 000005
【図４】
2013257200.tif 000006
【図５】
2013257200.tif 000007
【図６】
2013257200.tif 000008
【図７】
2013257200.tif 000009